(57)【要約】【課題】      机の端部等に取り付ける開封器であり、当該開封器の回転刃と受けロール部分を封書端部の厚みに関係なく容易に切断し得るようにすること、更には切断された封書端部が下方に散らばらないようにすることが発明が解決しようとする課題である。【解決手段】  開封器の回転刃と受けロールの間隙を調整可能とし、封書端部の厚みに関係なく切断できるようにすると共に、封書端部を切断し切り落とすこと以外に、封書端部の上面一枚を切り開き開封し得るようにすることが課題を解決するための手段である。【選択図】図１
2011224948.tif 000002
【特許請求の範囲】
【請求項１】
回転刃と受けロールにより封書の端部を切断する封書の開封器において、回転刃と受けロール間の間隙を調節可能とし、封書端部の重合部分を一枚のみ切り開くこと、端部の重合部分を完全に切り落とすことを選択可能とした封書開封器。
【請求項２】
封書端部挿入溝の下面を外部に突出した幅広として封書台を設け、端部重合部分の切り開き時に封書の安定を図るべく構成した請求項１の封書開封器。
【請求項３】
封書端部挿入溝は回転刃に沿った方向に本体に貫通状態に形成され、使用者の右利き、左利きに関係なく双方どちらからでも挿入し得る構造とすると共に、封書端部挿入溝の上面の左右両端部は円弧状に加工し、封書端部が挿入し易い構造としてなる封書開封器。
【発明の詳細な説明】
【技術分野】
【０００１】  本発明は、封書の端部重合部の一枚を切り開きまたは端部重合部を切断する封書開封器に関するものである。
【背景技術】  従来、手紙、書類、雑誌等を収容した封書を開封するには、通常、ハサミ、ペーパーナイフ等が用いられており、ハサミを用いて開封する場合、封書の上端部を切断して開封するようになり、ペーパーナイフを用いて開封する場合は、当該ペーパーナイフの先端部を封書の折曲封部の間隙に挿入し、この折曲封部を切断して開封するようになる。【０００２】  しかし、封書の開封にハサミとかペーパーナイフを用いる場合、当該ハサミ、ペーパーナイフ等は必ずしもその場にあるとは限らず、封書を開封するためにハサミ、ペーパーナイフを探さなければならないというのが実情であり、またハサミで開封するのも、内部の手紙、書類等を一緒に切断しないように気を付けなければならず、また、ペーパーナイフ等で開封するのもナイフ先端を封書端部の折曲封部に挿入するのが必ずしも容易ではなかった。【０００３】  このような問題を解決せんとして、本体に回転刃と受けロールを設け、当該回転刃と受けロール部分に設けた間隙に封書の端部を挿入し、封書を横方向に移動させることにより、回転刃で封書の端部を切断すべく構成された開封器が開発され一部市販もされていた。【０００４】  しかし、封書には大きさにより、当該封書端部の厚みが異なることもあり、間隔を固定した状態の回転刃と受けロールでは間隙に端部を挿入して横方向に移動させるのに困難を要することもあり、また、切断された封書端部が下部に散らばるという問題もあった。
【発明の開示】
【発明が解決しようとする課題】
【０００５】  机の端部等に取り付ける開封器であり、当該開封器の回転刃と受けロール部分を封書端部の厚みに関係なく容易に切断し得るようにすること、更には切断された封書端部が下方に散らばらないようにすること、これが発明が解決しようとする課題である。
【課題を解決するための手段】
【０００６】  開封器の回転刃と受けロールの間隙を調整可能とし、封書端部の厚みに関係なく切断できるようにすると共に、封書端部を切断し切り落とすこと以外に、封書端部の上面一枚を切り開き開封し得るようにすること、これが課題を解決するための手段である。
【発明の効果】
【０００７】  本発明は、回転刃と受けロールにより封書の端部を切断する封書の開封器において、回転刃と受けロール間の間隙を調節可能とし、封書端部の重合部分を一枚のみ切り開くこと、端部の重合部分を完全に切り落とすことを選択可能とした封書開封器であり、更には、封書端部挿入溝の下面を外部に突出した幅広として封書台を設け、端部重合部分の切り開き時に封書の安定を図るべく構成してなる封書開封器であり、更には、封書端部挿入溝は回転刃に沿った方向に本体に貫通状態に形成され、使用者の右利き、左利きに関係なく双方どちらからでも挿入し得る構造とすると共に、封書端部挿入溝の上面の左右両端部は円弧状に加工し、封書端部が挿入し易い構造としてなる封書開封器であるから、従来の開封器のように、封書端部を切断し切り落とすことも可能であるが、特に封書端部の重合部分上面一枚のみを切り開くことができるので、切断された封書端部が机の下方等に散らばることもなく、封書内部の手紙、書類、雑誌等を容易に取り出すことができる。しかも封書端部挿入溝は回転刃に沿った方向に貫通しているので、左利き、右利きに関係なくどちらからでも挿入ができる。その上封書端部挿入溝の上面両端を円弧状としているので挿入もし易い。また机等に取り付けた際に机上面と接する面は、封書端部挿入溝７が斜め上を向くように約３０度の傾斜を付けている。これは封書端部を挿入する際に挿入し易い等、極めて顕著なる効果を有するものである。
【発明を実施するための最良の形態】
【０００８】  本発明は、回転刃と受けロールにより封書の端部を切断する封書の開封器において、回転刃と受けロール間の間隙を調節可能とし、封書端部の重合部分を一枚のみ切り開くこと、端部の重合部分を完全に切り落とすことを選択可能とした封書開封器であり、更には、封書端部挿入溝の下面を外部に突出した幅広としい封書台を設け、端部重合部分の切り開き時に封書の安定を図るべく構成してなる請求項１の封書開封器であり、更には、封書端部挿入溝は回転刃に沿った方向に本体に貫通状態に形成され、使用者の右利き、左利きに関係なく双方どちらからでも挿入し得る構造とすると共に、封書端部挿入溝の上面の左右両端部は円弧状に加工し、封書端部が挿入し易い構造としてなる封書開封器を呈せんとするものである。
【実施例１】
【０００９】  本体１上部に回転自在に回転刃２を軸着している。軸３は２個のローラーベアリングにより軸支されており、当該軸３は本体１外に一部突出しており、突出部には回転刃２を駆動するハンドル４を取り付けている。当該ハンドル４は、封書の端部を封書端部挿入溝に挿入して回転刃２に至った際に、そのままでは封書端部が回転刃２に喰い込み難いのでハンドル４で回転刃２を回転させ、それにより封書端部が回転刃２と受けロール５間に食い込むように構成している。尚、封書端部が回転刃２と受けロール５間に食い込めば、後は封書を移動させることにより切り開くことができるものである。また、回転刃２は薄い円盤体となっている。【００１０】  前記回転刃２の下部に位置する受けロール５は、本体１に上下方向に摺動自在に取付けられたユニット６に回転自在に軸着されている。本体１に上下方向に摺動自在に取付けられたユニット６はネジ７により回転刃２との間隙を微調整し、封書端部の重合部分の上面一枚のみを切り開き得るように構成されている。尚、上下調整によって封書端部を切り落とすことも可能である。図示はしていないが受けロール５の回転刃２と接する表面にはＶ溝が形成されているが、Ｖ溝はなくてもよい。８は封書端部を挿入する封書端部挿入溝で、回転刃に沿った方向に本体に貫通状態に形成され、使用者の右利き、左利きに関係なく双方どちらからでも挿入し得る構造としている。【００１１】  本実施例においては、回転刃２と受けロール５間の間隙微調整は、受けロール５を軸着したユニット６を本体１内で上下方向に摺動させるべく構成しているが、回転刃２側を摺動させることにより微調整を行うようにすることも可能である。【００１２】  前記回転刃２を駆動するハンドル４部分に小型の電動機を取付け、封書端部挿入溝８に封書端部を挿入し一端が回転刃２に当接したことをセンサーで感知して電動機を起動するようにしてもよい。【００１３】  封書端部挿入溝８の下面８を外部に突出した幅広として封書台９を設け、端部重合部分の切り開き時に封書の安定を図るべく構成している。また封書端部挿入溝８は回転刃２に沿った方向に本体１に貫通状態に形成され、使用者の右利き、左利きに関係なく双方どちらからでも挿入し得る構造としている。また貫通していることにより、封書の大小に関係なく端部を切り開くことができる。更に封書端部挿入溝８の上面の左右両端部１０は円弧状に加工され、封書端部が挿入し易いようにされている。【００１４】  本体１の下面、即ち机等に取り付けた際に机上面と接する面１１は、封書端部挿入溝８が斜め上を向くように約３０度の傾斜を付けている。１２は取付けアーム、１３は取付けネジである。尚、本実施例においては封書開封器を取付け型としているが、手持用とすることもできる。
【産業上の利用可能性】
【００１５】  本発明は、回転刃と受けロールにより封書の端部を切断する封書の開封器において、回転刃２と受けロール５間の間隙を調節可能とし、封書端部の重合部分を一枚のみ切り開くこと、端部の重合部分を完全に切り落とすことを選択可能とした封書開封器であり、更には、封書端部挿入溝８の下面を外部に突出した幅広として封書台９を設け、端部重合部分の切り開き時に封書の安定を図るべく構成してなる請求項１の封書開封器であり、更には、封書端部挿入溝８は回転刃２に沿った方向に本体１に貫通状態に形成され、使用者の右利き、左利きに関係なく双方どちらからでも挿入し得る構造とすると共に、封書端部挿入溝８の上面の左右両端部１０は円弧状に加工し、封書端部が挿入し易い構造としてなる封書開封器であるから、従来の開封器のように、封書端部を切断し切り落とすことも可能であるが、更に封書端部の重合部分上面一枚のみを切り開くことができるので、切断された封書端部が机の下方等に散らばることもなく、封書内部の手紙、書類、雑誌等を容易に取り出すことができる、しかも封書端部挿入溝８は回転刃２に沿って貫通しているので、左利き、右利きに関係なくどちらからでも挿入ができる。その上封書端部挿入溝の上面両端１０を円弧状としているので挿入もし易い。また、机等に取り付けた際に机上面と接する面１１は、封書端部挿入溝８が斜め上を向くように約３０度の傾斜を付けているので、封書端部を挿入する際に挿入し易い。また当該開封器を手持ち用とすることもできる等、極めて顕著なる効果を有するものであり。新規なる封書開封器として当該分野にも貢献できるものである等、産業上の利用可能性は著しく大きいものである。
【図面の簡単な説明】
【００１６】
【図１】  本発明の構成を説明する断面図である。
【図２】  本体形状を説明するための正面図ａと側面図ｂである。
【図３】  取付け面を説明するための側面図である。
【符号の説明】
【００１７】１    本体
２    回転刃
３    軸
４    ハンドル
５    受けロール
６    ユニット
７    ネジ
８    封書端部挿入溝
９    封書台
１０  封書端部挿入溝上面両端
１１  取付け面
１２  取付けアーム
１３  取付けネジ
【図１】
2011224948.tif 000003
【図２】
2011224948.tif 000004
【図３】
2011224948.tif 000005
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
回転刃と受けロールにより封書の端部を切断する封書の開封器において、回転刃と受けロール間の間隙を調節可能とし、封書端部の重合部分を一枚のみ切り開くこと、端部の重合部分を完全に切り落とすことを選択可能とした封書開封器。
【請求項２】
封書端部挿入溝の下面を外部に突出した幅広として封書台を設け、端部重合部分の切り開き時に封書の安定を図るべく構成した請求項１の封書開封器。
【請求項３】
封書端部挿入溝は回転刃に沿った方向に本体に貫通状態に形成され、使用者の右利き、左利きに関係なく双方どちらからでも挿入し得る構造とすると共に、封書端部挿入溝の上面の左右両端部は円弧状または斜状に加工し、封書端部が挿入し易い構造としてなる請求項１の封書開封器。
【請求項４】
本体の下面、即ち机等に取り付けた際に机上面と接する面は、封書端部挿入溝が斜め上を向くように傾斜を付けていることを特徴とする請求項１の封書開封器。
【手続補正２】
【補正対象書類名】明細書
【補正対象項目名】全文
【補正方法】変更
【補正の内容】
【発明の詳細な説明】
【技術分野】
【０００１】  本発明は、封書の端部重合部の一枚を切り開きまたは端部重合部を切断する封書開封器に関するものである。
【背景技術】  従来、手紙、書類、雑誌等を収容した封書を開封するには、通常、ハサミ、ペーパーナイフ等が用いられており、ハサミを用いて開封する場合、封書の上端部を切断して開封するようになり、ペーパーナイフを用いて開封する場合は、当該ペーパーナイフの先端部を封書の折曲封部の間隙に挿入し、この折曲封部を切断して開封するようになる。【０００２】  しかし、封書の開封にハサミとかペーパーナイフを用いる場合、当該ハサミ、ペーパーナイフ等は必ずしもその場にあるとは限らず、封書を開封するためにハサミ、ペーパーナイフを探さなければならないというのが実情であり、またハサミで開封するのも、内部の手紙、書類等を一緒に切断しないように気を付けなければならず、また、ペーパーナイフ等で開封するのもナイフ先端を封書端部の折曲封部に挿入するのが必ずしも容易ではなかった。【０００３】  このような問題を解決せんとして、本体に回転刃と受けロールを設け、当該回転刃と受けロール部分に設けた間隙に封書の端部を挿入し、封書を横方向に移動させることにより、回転刃で封書の端部を切断すべく構成された開封器が開発され一部市販もされていた。【０００４】  しかし、封書には大きさにより、当該封書端部の厚みが異なることもあり、間隔を固定した状態の回転刃と受けロールでは間隙に端部を挿入して横方向に移動させるのに困難を要することもあり、また、切断された封書端部が下部に散らばるという問題もあった。
【発明の開示】
【発明が解決しようとする課題】
【０００５】  机の端部等に取り付ける開封器であり、当該開封器の回転刃と受けロール部分を封書端部の厚みに関係なく容易に切断し得るようにすること、更には切断された封書端部が下方に散らばらないようにすること、これが発明が解決しようとする課題である。
【課題を解決するための手段】
【０００６】  開封器の回転刃と受けロールの間隙を調整可能とし、封書端部の厚みに関係なく切断できるようにすると共に、封書端部を切断し切り落とすこと以外に、封書端部の上面一枚を切り開き開封し得るようにすること、これが課題を解決するための手段である。
【発明の効果】
【０００７】  本発明は、回転刃と受けロールにより封書の端部を切断する封書の開封器において、回転刃と受けロール間の間隙を調節可能とし、封書端部の重合部分を一枚のみ切り開くこと、端部の重合部分を完全に切り落とすことを選択可能とした封書開封器であり、更には、封書端部挿入溝の下面を外部に突出した幅広として封書台を設け、端部重合部分の切り開き時に封書の安定を図るべく構成してなる封書開封器であり、更には、封書端部挿入溝は回転刃に沿った方向に本体に貫通状態に形成され使用者の右利き、左利きに関係なく双方どちらからでも挿入し得る構造とすると共に、封書端部挿入溝の上面の左右両端部は円弧状または斜状に加工し、封書端部が挿入し易い構造とし、更には、本体の下面、即ち机等に取り付けた際に机上面と接する面は、封書端部挿入溝が斜め上を向くように傾斜を付けていることを特徴としてなる封書開封器であるから、従来の開封器のように、封書端部を切断し切り落とすことも可能であるが、特に封書端部の重合部分上面一枚のみを切り開くことができるので、切断された封書端部が机の下方等に散らばることもなく、封書内部の手紙、書類、雑誌等を容易に取り出すことができる。しかも封書端部挿入溝は回転刃に沿った方向に貫通しているので、左利き、右利きに関係なくどちらからでも挿入ができる。その上封書端部挿入溝の上面両端を円弧状としているので挿入もし易い。また机等に取り付けた際に机上面と接する面は、封書端部挿入溝７が斜め上を向くように１０〜３０度の傾斜を付けている。これは封書端部を挿入する際に挿入し易い等、極めて顕著なる効果を有するものである。
【発明を実施するための最良の形態】
【０００８】  本発明は、回転刃と受けロールにより封書の端部を切断する封書の開封器において、回転刃と受けロール間の間隙を調節可能とし、封書端部の重合部分を一枚のみ切り開くこと、端部の重合部分を完全に切り落とすことを選択可能とした封書開封器であり、更には、封書端部挿入溝の下面を外部に突出した幅広として封書台を設け、端部重合部分の切り開き時に封書の安定を図るべく構成してなる封書開封器であり、更には、封書端部挿入溝は回転刃に沿った方向に本体に貫通状態に形成され使用者の右利き、左利きに関係なく双方どちらからでも挿入し得る構造とすると共に、封書端部挿入溝の上面の左右両端部は円弧状または斜状に加工し、封書端部が挿入し易い構造とし、更には、本体の下面、即ち机等に取り付けた際に机上面と接する面は、封書端部挿入溝が斜め上を向くように傾斜を付けていることを特徴としてなる封書開封器
を呈せんとするものである。
【実施例１】
【０００９】  本体１上部に回転自在に回転刃２を軸着している。軸３は２個のローラーベアリングにより軸支されており、当該軸３は本体１外に一部突出しており、突出部には回転刃２を駆動するハンドル４を取り付けている。当該ハンドル４は、封書の端部を封書端部挿入溝に挿入して回転刃２に至った際に、そのままでは封書端部が回転刃２に喰い込み難いのでハンドル４で回転刃２を回転させ、それにより封書端部が回転刃２と受けロール５間に食い込むように構成している。尚、封書端部が回転刃２と受けロール５間に食い込めば、後は封書を移動させることにより切り開くことができるものである。また、回転刃２は薄い円盤体となっている。【００１０】  前記回転刃２の下部に位置する受けロール５は、本体１に上下方向に摺動自在に取付けられたユニット６に回転自在に軸着されている。本体１に上下方向に摺動自在に取付けられたユニット６はネジ７により回転刃２との間隙を微調整し、封書端部の重合部分の上面一枚のみを切り開き得るように構成されている。尚、上下調整によって封書端部を切り落とすことも可能である。図示はしていないが受けロール５の回転刃２と接する表面にはＶ溝が形成されているが、Ｖ溝はなくてもよい。８は封書端部を挿入する封書端部挿入溝で、回転刃に沿った方向に本体に貫通状態に形成され、使用者の右利き、左利きに関係なく双方どちらからでも挿入し得る構造としている。【００１１】  本実施例においては、回転刃２と受けロール５間の間隙微調整は、受けロール５を軸着したユニット６を本体１内で上下方向に摺動させるべく構成しているが、回転刃２側を摺動させることにより微調整を行うようにすることも可能である。【００１２】  前記回転刃２を駆動するハンドル４部分に小型の電動機を取付け、封書端部挿入溝８に封書端部を挿入し一端が回転刃２に当接したことをセンサーで感知して電動機を起動するようにしてもよい。【００１３】  封書端部挿入溝８の下面８を外部に突出した幅広として封書台９を設け、端部重合部分の切り開き時に封書の安定を図るべく構成している。また封書端部挿入溝８は回転刃２に沿った方向に本体１に貫通状態に形成され、使用者の右利き、左利きに関係なく双方どちらからでも挿入し得る構造としている。また貫通していることにより、封書の大小に関係なく端部を切り開くことができる。更に封書端部挿入溝８の上面の左右両端部１０は円弧状または斜状に加工され、封書端部が挿入し易いようにされている。【００１４】本体１の下面、即ち机等に取り付けた際に机上面と接する面１１は、封書端部挿入溝８が斜め上を向くように１０〜３０度の傾斜を付けている。１２は取付けアーム、１３は取付けネジである。尚、取付けアーム１２は使用者が右利き、左利きに関係なく利用し易いように本体１の前側または後側どちらにでも装着できるようにしている。また、本実施例においては封書開封器を取付け型としているが、手持用とすることもできる。
【産業上の利用可能性】
【００１５】  本発明は、回転刃と受けロールにより封書の端部を切断する封書の開封器において、回転刃２と受けロール５間の間隙を調節可能とし、封書端部の重合部分を一枚のみ切り開くこと、端部の重合部分を完全に切り落とすことを選択可能とした封書開封器であり、更には、封書端部挿入溝８の下面を外部に突出した幅広として封書台９を設け、端部重合部分の切り開き時に封書の安定を図るべく構成してなる封書開封器であり、更には、封書端部挿入溝は回転刃２に沿った方向に本体１に貫通状態に形成され使用者の右利き、左利きに関係なく双方どちらからでも挿入し得る構造とすると共に、封書端部挿入溝８の上面の左右両端部１０は円弧状または斜状に加工し、封書端部が挿入し易い構造とし、更には、本体の下面、即ち机等に取り付けた際に机上面と接する面１１は、封書端部挿入溝が斜め上を向くように傾斜を付けていることを特徴としてなる封書開封器であるから、従来の開封器のように、封書端部を切断し切り落とすことも可能であるが、更に封書端部の重合部分上面一枚のみを切り開くことができるので、切断された封書端部が机の下方等に散らばることもなく、封書内部の手紙、書類、雑誌等を容易に取り出すことができる、しかも封書端部挿入溝８は回転刃２に沿って貫通しているので、左利き、右利きに関係なくどちらからでも挿入ができる。その上封書端部挿入溝の上面両端１０を円弧状または斜状としているので挿入もし易い。また、机等に取り付けた際に机上面と接する面１１は、封書端部挿入溝８が斜め上を向くように１０〜３０度の傾斜を付けているので、封書端部を挿入する際に挿入し易い。また当該開封器を手持ち用とすることもできる等、極めて顕著なる効果を有するものであり。新規なる封書開封器として当該分野にも貢献できるものである等、産業上の利用可能性は著しく大きいものである。
【図面の簡単な説明】
【００１６】
【図１】  本発明の構成を説明する断面図である。
【図２】  本体形状を説明するための正面図ａと側面図ｂである。
【図３】  取付け面を説明するための側面図である。
【符号の説明】
【００１７】１    本体
２    回転刃
３    軸
４    ハンドル
５    受けロール
６    ユニット
７    ネジ
８    封書端部挿入溝
９    封書台
１０  封書端部挿入溝上面両端
１１  取付け面
１２  取付けアーム
１３  取付けネジ